(57)【要約】【課題】複数の放電灯の間に開放電圧のばらつき等があるような場合でも片点灯を防止することができ、かつ低背化を図ることが可能な多出力高圧トランスを得る。【解決手段】２つの１次巻線５Ａ，５Ｂが第１の軸線Ｌ１上において略同軸に配設され、各２つの２次巻線６Ａ，６Ｂ、６Ｃ，６Ｄが第２および第３の軸線Ｌ２，Ｌ３上においてそれぞれ略同軸に配設されている。２つの１次巻線５Ａ，５Ｂと、これらと対応する各２つの２次巻線６Ａ，６Ｃ、６Ｂ，６Ｄそれぞれとを電磁結合する磁路Ｍ１〜Ｍ４が、４つの２次巻線６Ａ〜６Ｄの各々に対して個別に形成され、４つの２次巻線６Ａ〜６Ｄにそれぞれ１つの冷陰極放電ランプが接続されている。【選択図】          図４
2006324379.tif 000002
【特許請求の範囲】
【請求項１】
複数の放電灯を放電、点灯させるための多出力型の高圧トランスにおいて、
第１の軸線上において略同軸に配設された複数の１次巻線と、前記第１の軸線を含む平面内において該第１の軸線に対し略平行に延びる第２の軸線上において略同軸に配設された複数の２次巻線とを備え、
前記複数の２次巻線は、各１つの当該２次巻線が対応する各１つの前記１次巻線と略平行に並ぶようにそれぞれ配され、
前記各１つの１次巻線と、該各１つの１次巻線に対応する前記各１つの２次巻線とを電磁結合する磁路が、前記複数の２次巻線の各々に対して個別に形成され、
前記複数の放電灯は、各１つの当該放電灯が対応する各１つの前記２次巻線にそれぞれ接続されていることを特徴とする多出力高圧トランス。
【請求項２】
各々の前記２次巻線に対して個別に形成された前記磁路を構成する磁性体コアを備え、
該磁性体コアが、
前記第１の軸線上に配された１次側コア部と、
前記第２の軸線上に配された２次側コア部と、
前記１次側コア部および前記２次側コア部の互いに対向する両端部同士を連結する端部用コア部と、
前記複数の１次巻線の各間の位置において、前記１次側コア部および前記２次側コア部の互いに対向する中間部同士を結ぶ中間部用コア部と、
を具備してなることを特徴とする請求項１記載の多出力高圧トランス。
【請求項３】
複数の放電灯を放電、点灯させるための多出力型の高圧トランスにおいて、
第１の軸線上において略同軸に配設された複数の１次巻線と、前記第１の軸線を含む平面内において該第１の軸線を挟んで該第１の軸線に対しそれぞれ略平行に延びる第２および第３の軸線上においてそれぞれ略同軸に配設された複数の２次巻線とを備え、
前記複数の２次巻線は、各２つの当該２次巻線が対応する各１つの前記１次巻線を挟んで該１次巻線と略平行に並ぶようにそれぞれ配され、
前記各１つの１次巻線と、該各１つの１次巻線に対応する前記各２つの２次巻線それぞれとを電磁結合する磁路が、前記複数の２次巻線の各々に対して個別に形成され、
前記複数の放電灯は、各１つの当該放電灯が対応する各１つの前記２次巻線にそれぞれ接続されていることを特徴とする多出力高圧トランス。
【請求項４】
各々の前記２次巻線に対して個別に形成された前記磁路を構成する磁性体コアを備え、
該磁性体コアが、
前記第１の軸線上に延びる１次側コア部と、
前記第２の軸線上に延びる第１の２次側コア部と、
前記第３の軸線上に延びる第２の２次側コア部と、
前記１次側コア部と前記第１の２次側コア部との互いに対向する両端部同士を結ぶ第１の端部用コア部と、
前記１次側コア部と前記第２の２次側コア部との互いに対向する両端部同士を結ぶ第２の端部用コア部と、
前記複数の１次巻線の各間の位置において、前記１次側コア部と前記第１の２次側コア部との互いに対向する中間部同士を結ぶ第１の中間部用コア部と、
前記複数の１次巻線の各間の位置において、前記１次側コア部と前記第２の２次側コア部との互いに対向する中間部同士を結ぶ第２の中間部用コア部と、
を具備してなることを特徴とする請求項３記載の多出力高圧トランス。
【請求項５】
前記第１および前記第２の中間部用コア部は、それぞれ互いに略平行に配された一対のコア部からなることを特徴とする請求項４記載の多出力高圧トランス。
【請求項６】
前記１次側コア部は、前記複数の１次巻線の各間の位置において、分断されていることを特徴とする請求項５記載の多出力高圧トランス。
【請求項７】
前記１次巻線は計２つであり、前記２次巻線は該２つの１次巻線それぞれに対して前記第２および前記第３の軸線上に１つずつ配された計４つであることを特徴とする請求項４〜６までのうちいずれか１項記載の多出力高圧トランス。
【請求項８】
前記第１の軸線上において互いに隣接する各一対の前記１次巻線において、当該各一対の１次巻線の一方により形成される磁界の向きと、他方により形成される磁界の向きとが、前記第１の軸線上において互いに逆向きとなるように、当該各一対の１次巻線それぞれの巻回の向き、および当該各一対の１次巻線それぞれに流れる電流の向きが規定されていることを特徴とする請求項１〜７までのうちいずれか１項記載の多出力高圧トランス。
【発明の詳細な説明】
【技術分野】
【０００１】
本発明は、各種電子機器の回路基板に実装される多出力型の高圧トランスに関し、特にノートパソコン、液晶テレビ等に使用される各種表示パネルのバックライト用の冷陰極放電ランプ（ＣＣＦＬ）を数本同時に放電、点灯させるＤＣ／ＡＣインバータ回路での使用に好適な多出力高圧トランスに関する。
【背景技術】
【０００２】
複数の２次側出力を得ることが可能な多出力高圧トランスは、回路基板上に１出力型の高圧トランスを複数実装する場合に比べ、回路基板上での実装スペースが少なくて済むので、小型化が進む電子機器等での利用に適している。
【０００３】
従来、この種の多出力高圧トランスとして、１つの１次巻線に対し複数の２次巻線を電磁結合するとともに、各々の２次巻線に対して複数の放電灯を接続するように構成されたものが知られている（下記特許文献１参照）。
【０００４】
【特許文献１】特開平９−１９０８８９号公報
【発明の開示】
【発明が解決しようとする課題】
【０００５】
上記特許文献１に記載された従来技術においては、１つの１次巻線の周囲に、互いに隣接配置された各一対の２次巻線が複数組配されており、１次巻線と各組の２次巻線とは、それぞれ各１つの磁路により電磁結合されるように構成されている。このため、一対の２次巻線の一方に接続された放電灯と他方に接続された放電灯との間に、要求される開放電圧（放電開始電圧、起動電圧、始動電圧等とも称される）のばらつき（個体差）等があるような場合には、一方の放電灯のみが先に点灯して端子間電圧が下がることにより、他方の放電灯が開放電圧に達せずに未点灯となるいわゆる片点灯の状態が生じる虞がある。
【０００６】
このような片点灯を防止するため、上記従来技術においては、一対の２次巻線に対して別個独立の漏洩磁気回路を設けることを提案しているが、このような漏洩磁気回路を設けると漏れ磁束による損失が大きくなり出力効率が低下する。
【０００７】
また、上記従来技術においては、１つの２次巻線に対して複数の放電灯を接続するようにしているので、複数の放電灯の間にばらつき等があるような場合に、複数の放電灯の間で片点灯が生じる虞もある。
【０００８】
さらに、上記従来技術のものは、１つの１次巻線の周囲に、複数の２次巻線を立体的（３次元的）に配しているので、高圧トランスの低背化（回路基板面と直角な方向の長さを短くすること）が難しいという問題もある。
【０００９】
本発明はこのような事情に鑑みなされたものであり、複数の放電灯の間に開放電圧のばらつき等があるような場合でも片点灯を防止することができ、かつ低背化を図ることが可能な多出力高圧トランスを提供することを目的とする。
【課題を解決するための手段】
【００１０】
上記目的を達成するため、本発明に係る多出力高圧トランスは、複数の放電灯を放電、点灯させるための多出力型の高圧トランスにおいて、
第１の軸線上において略同軸に配設された複数の１次巻線と、前記第１の軸線を含む平面内において該第１の軸線に対し略平行に延びる第２の軸線上において略同軸に配設された複数の２次巻線とを備え、
前記複数の２次巻線は、各１つの当該２次巻線が対応する各１つの前記１次巻線と略平行に並ぶようにそれぞれ配され、
前記各１つの１次巻線と、該各１つの１次巻線に対応する前記各１つの２次巻線とを電磁結合する磁路が、前記複数の２次巻線の各々に対して個別に形成され、
前記複数の放電灯は、各１つの当該放電灯が対応する各１つの前記２次巻線にそれぞれ接続されていることを特徴とするものである。
【００１１】
この多出力高圧トランスにおいては、各々の前記２次巻線に対して個別に形成された前記磁路を構成する磁性体コアを備え、該磁性体コアが、前記第１の軸線上に配された１次側コア部と、前記第２の軸線上に配された２次側コア部と、前記１次側コア部および前記２次側コア部の互いに対向する両端部同士を連結する端部用コア部と、前記複数の１次巻線の各間の位置において、前記１次側コア部および前記２次側コア部の互いに対向する中間部同士を結ぶ中間部用コア部と、を具備してなるようにすることができる。
【００１２】
また、本発明に係る他の多出力高圧トランスは、複数の放電灯を放電、点灯させるための多出力型の高圧トランスにおいて、
第１の軸線上において略同軸に配設された複数の１次巻線と、前記第１の軸線を含む平面内において該第１の軸線を挟んで該第１の軸線に対しそれぞれ略平行に延びる第２および第３の軸線上においてそれぞれ略同軸に配設された複数の２次巻線とを備え、
前記複数の２次巻線は、各２つの当該２次巻線が対応する各１つの前記１次巻線を挟んで該１次巻線と略平行に並ぶようにそれぞれ配され、
前記各１つの１次巻線と、該各１つの１次巻線に対応する前記各２つの２次巻線それぞれとを電磁結合する磁路が、前記複数の２次巻線の各々に対して個別に形成され、
前記複数の放電灯は、各１つの当該放電灯が対応する各１つの前記２次巻線にそれぞれ接続されていることを特徴とするものである。
【００１３】
この多出力高圧トランスにおいては、各々の前記２次巻線に対して個別に形成された前記磁路を構成する磁性体コアを備え、該磁性体コアが、前記第１の軸線上に延びる１次側コア部と、前記第２の軸線上に延びる第１の２次側コア部と、前記第３の軸線上に延びる第２の２次側コア部と、前記１次側コア部と前記第１の２次側コア部との互いに対向する両端部同士を結ぶ第１の端部用コア部と、前記１次側コア部と前記第２の２次側コア部との互いに対向する両端部同士を結ぶ第２の端部用コア部と、前記複数の１次巻線の各間の位置において、前記１次側コア部と前記第１の２次側コア部との互いに対向する中間部同士を結ぶ第１の中間部用コア部と、前記複数の１次巻線の各間の位置において、前記１次側コア部と前記第２の２次側コア部との互いに対向する中間部同士を結ぶ第２の中間部用コア部と、を具備してなるようにすることができる。
【００１４】
また、前記第１および前記第２の中間部用コア部を、それぞれ互いに略平行に配された一対のコア部からなるものとしたり、前記１次側コア部を、各前記一対のコア部の間に位置する部分が除去された形状に構成したり、前記１次巻線は計２つとし、前記２次巻線は該２つの１次巻線それぞれに対して前記第２および前記第３の軸線上に１つずつ配された計４つとすることが可能である。
【００１５】
また、前記第１の軸線上において互いに隣接する各一対の前記１次巻線において、当該各一対の１次巻線の一方により形成される磁界の向きと、他方により形成される磁界の向きとが、前記第１の軸線上において互いに逆向きとなるように、当該各一対の１次巻線それぞれの巻回の向き、および当該各一対の１次巻線それぞれに流れる電流の向きが規定されているようにすることが好ましい。
【００１６】
なお、上記「電磁結合する磁路が、前記複数の２次巻線の各々に対して個別に形成され」ているとは、複数の２次巻線を同時に貫いてこれらに起電力を誘導するような共通の磁路が形成されていないこと、すなわち、個々の２次巻線に起電力を誘導するための磁路が各２次巻線に対して別個独立に形成されていることを意味する。
【発明の効果】
【００１７】
本発明の多出力高圧トランスは、各１つの１次巻線と、該１次巻線と対応する各１つの２次巻線とを電磁結合する磁路が、複数の２次巻線の各々に対して個別に形成されているとともに、各１つの放電灯が対応する各１つの２次巻線にそれぞれ接続されていることにより、複数の放電灯の間にばらつき等があるような場合でも片点灯を防止することが可能である。
【００１８】
また、複数の１次巻線が配設される第１の軸線と、複数の２次巻線が配設される第２の軸線とが、同一の平面内に配されていることにより、１次巻線と２次巻線とを平面的（２次元的）に配置することができるので、１次巻線と２次巻線とが３次元的に配置された従来技術のものに比べて低背化することが可能である。
【００１９】
本発明の他の多出力高圧トランスは、各１つの１次巻線と、該１次巻線と対応する各２つの２次巻線それぞれとを電磁結合する磁路が、複数の２次巻線の各々に対して個別に形成されているとともに、各１つの放電灯が対応する各１つの２次巻線にそれぞれ接続されていることにより、複数の放電灯の間にばらつき等があるような場合でも片点灯を防止することが可能である。
【００２０】
また、１つの１次巻線に対して２つの２次巻線が電磁結合されているので、多くの放電灯を効率良く放電、点灯させることが可能である。
【００２１】
さらに、複数の１次巻線が配設される第１の軸線と、複数の２次巻線が配設される第２および第３の軸線とが、同一の平面内に配されていることにより、各１次巻線と各２次巻線とを平面的（２次元的）に配置することができるので、１次巻線と２次巻線とが３次元的に配置された従来技術のものに比べて低背化することが可能である。
【発明を実施するための最良の形態】
【００２２】
以下、本発明に係る多出力高圧トランスの実施形態について、添付した各図面を参照しつつ詳細に説明する。図１は本発明の第１実施形態に係る多出力高圧トランスの平面図、図２は巻線を備えていない状態の多出力高圧トランスを示す斜視図、図３はシールドコアが装着された状態の多出力高圧トランスの平面図であり、まず、これら図１〜図３に基づいてこの多出力高圧トランスの全体の構成について説明する。
【００２３】
図示する多出力高圧トランスは、ＤＣ／ＡＣインバータ回路内で使用される、４つのＣＣＦＬ（冷陰極放電ランプ）を略同時に放電、点灯させることが可能なインバータトランスであり、図１に示すように、軟磁性材料のフェライト（その他に、例えば、パーマロイ、センダスト、鉄カルボニル等の材料や、これらの微粉末を圧縮成型したダストコアを使用することも可能）からなる磁性体コア１と、絶縁性の材料（一般にはプラスチック製材料）により形成された１次側ボビン／端子台２と、同じく絶縁性の材料により形成された第１および第２の２次側ボビン／端子台３，４と、第１の軸線Ｌ１上において略同軸に配された２つの１次巻線５Ａ，５Ｂと、第２の軸線Ｌ２上において略同軸に配された２つの２次巻線６Ａ，６Ｂと、第３の軸線Ｌ３上において略同軸に配された２つの２次巻線６Ｃ，６Ｄとから構成されている。なお、第２および第３の軸線Ｌ２，Ｌ３は、第１の軸線Ｌ１を含む平面内において第１の軸線Ｌ１を挟むように、かつ第１の軸線Ｌ１と略平行に延びている。
【００２４】
上記磁性体コア１は、図１に示すように、第１の軸線Ｌ１上に延びる１次側コア部１１と、第２の軸線Ｌ２上に延びる第１の２次側コア部１２と、第３の軸線Ｌ３上に延びる第２の２次側コア部１３と、１次側コア部１１と第１の２次側コア部１２との互いに対向する両端部同士を結ぶ第１の端部用コア部１４Ａ，１４Ｂと、１次側コア部１１と第２の２次側コア部１３との互いに対向する両端部同士を結ぶ第２の端部用コア部１５Ａ，１５Ｂと、２つの１次巻線５Ａ，５Ｂの間の位置において、１次側コア部１１と第１の２次側コア部１２との互いに対向する中間部同士を結ぶ第１の中間部用コア部１６と、２つの１次巻線５Ａ，５Ｂの間の位置において、１次側コア部１１と前記第２の２次側コア部１３との互いに対向する中間部同士を結ぶ第２の中間部用コア部１７と、を具備してなる。また、上記第１および第２の中間部用コア部１６，１７は、それぞれ互いに略平行に配された各一対のコア部１６ａ，１６ｂ、１７ａ，１７ｂからなる。
【００２５】
なお、本実施形態において、１次側コア部１１、第１の端部用コア部１４Ａ，１４Ｂ、および第２の端部用コア部１５Ａ，１５Ｂは、全体としてＨ字型のコアを構成するように互いに一体に形成されている。
【００２６】
一方、上記１次側ボビン／端子台２は、図２に示すように、それぞれ筒状に形成された２つの巻軸２１Ａ，２１Ｂと、この２つの巻軸２１Ａ，２１Ｂの各一方の端部に設けられた鍔板２２Ａ，２２Ｂと、２つの巻軸２１Ａ，２１Ｂの各他方の端部同士を互いに連結する連結部２３と、４つの１次側端子２４Ａが植設された１次側端子台２５Ａと、図１に示すように、同じく４つの１次側端子２４Ｂが植設された１次側端子台２５Ｂとからなり、巻軸２１Ａの外周部に１次側巻線５Ａが巻回され、巻軸２１Ｂの外周部に１次側巻線５Ｂが巻回されるように構成されている。また、１次巻線５Ａの始端および終端は、４つの１次側端子２４Ａのいずれか２つにそれぞれ絡げられ、１次巻線５Ｂの始端および終端は、４つの１次側端子２４Ｂのいずれか２つにそれぞれ絡げられるようになっている。
【００２７】
さらに、この１次側ボビン／端子台２は、図１の上下方向に２分割された状態（分割境界線を図１、図２において実線で示す）で成型されており、分割成型された２つの部材を互いに接合することによりその内部にコア挿通孔２６（図２参照）が形成され、このコア挿通孔内に上記１次側コア部１１が挿通されるようになっている。また、上記連結部２３の上面には、図３に示すシールドコア７が装着される際に、シールドコア７の裏面に形成されている一対の中脚部７１Ａ，７１Ｂ（破線で示す）が挿入される一対の挿入孔２７Ａ，２７Ｂが形成されている。このシールドコア７は、多出力高圧トランスの上面の略全域を覆うように装着されて、多出力高圧トランスからの磁気漏れを防止するように構成されており、その裏面側には、上記一対の中脚部７１Ａ，７１Ｂの他に、装着時に１次側コア部１１の両端部にそれぞれ当接される一対の外脚部７２Ａ，７２Ｂ（破線で示す）を備えている。
【００２８】
また、上記第１の２次側ボビン／端子台３は、図２に示すように、筒状に形成された２つの巻軸３１Ａ，３１Ｂと、この２つの巻軸３１Ａ，３１Ｂの各一方の端部に設けられた鍔板３２Ａ，３２Ｂと、２つの巻軸３１Ａ，３１Ｂそれぞれにおいて第１の軸線Ｌ１が延在する方向に互いに離間して配設された各２つの仕切鍔３３Ａ，３４Ａ、３３Ｂ，３４Ｂと、図１に示すように、１つの２次側端子３５Ａが植設された２次側端子台３６Ａと、同じく１つの２次側端子３５Ｂが植設された２次側端子台３６Ｂと、２つの２次側端子３５Ｃが植設された２次側端子台３６Ｃとからなる。図１に示すように本実施形態では、２次巻線６Ａの始端は、図中左側の２次側端子３５Ｃの絡げ部３５Ｃａに絡げられ、その終端は２次側端子３５Ａの絡げ部３５Ａａに絡げられている。また、２次巻線６Ｂの始端は、図中右側の２次側端子３５Ｃの絡げ部３５Ｃａに絡げられ、その終端は２次側端子３５Ｂの絡げ部３５Ｂａに絡げられている。
【００２９】
上記巻軸３１Ａは、図２に示すように、鍔板３２Ａと２つの仕切鍔３３Ａ，３４Ａとにより、３つの巻回部ＳＡ１，ＳＡ２，ＳＡ３に区分されており、同様に巻軸３１Ｂは、鍔板３２Ｂと２つの仕切鍔３３Ｂ，３４Ｂとにより、３つの巻回部ＳＢ１，ＳＢ２，ＳＢ３に区分されている。また、仕切鍔３３Ａには、巻回部ＳＡ１に巻回された２次巻線６Ａ（図１参照）を、隣接する巻回部ＳＡ２に渡すための溝部３７Ａが形成されており、仕切鍔３４Ａには、巻回部ＳＡ２に巻回された２次巻線６Ａを、隣接する巻回部ＳＡ３に渡すための溝部３８Ａが形成されている。同様に仕切鍔３３Ｂには、巻回部ＳＢ１に巻回された２次巻線６Ｂ（図１参照）を、隣接する巻回部ＳＢ２に渡すための溝部３７Ｂが形成されており、仕切鍔３４Ｂには、巻回部ＳＢ２に巻回された２次巻線６Ｂを、隣接する巻回部ＳＢ３に渡すための溝部３８Ｂが形成されている。なお、２つの溝部３７Ａ，３８Ａは、巻軸３１Ａの周方向に互いに略９０度ずれた各位置に形成されており、同様に２つの溝部３７Ｂ，３８Ｂは、巻軸３１Ｂの周方向に互いに略９０度ずれた各位置に形成されている。
【００３０】
また、３つの巻回部ＳＡ１，ＳＡ２，ＳＡ３は、次のように、第２の軸線Ｌ２と直交する方向に互いに横ずれした状態に構成されている。すなわち、巻回部ＳＡ１に巻回される２次巻線６Ａの最上層の高さ位置が、溝部３７Ａを介して巻回部ＳＡ２に渡されて巻回される２次巻線６Ａの最下層の高さ位置と略一致するように、かつ巻回部ＳＡ２に巻回される２次巻線６Ａの最上層の高さ位置が、溝部３８Ａを介して巻回部ＳＡ３に渡されて巻回される２次巻線６Ａの最下層の高さ位置と略一致するように構成されており、溝部３７Ａ，３８Ａの各形成位置において隣接する各２つの巻回部ＳＡ１，ＳＡ２およびＳＡ２，ＳＡ３間で絶縁破壊が生じることを防止することが可能となっている。なお、このような構成やその作用については、特開２００４−１７９５８７号公報や、特願２００４−３６３７１３号明細書において詳細に開示されている。
【００３１】
一方、上記第２の２次側ボビン／端子台４については、図２に示すように、第１の軸線Ｌ１に対して上記第１の２次側ボビン／端子台３と線対称に構成されているので、重複を避けるため共通する部分についての説明は省略する。なお、対応関係を分かりやすくするため、第１の２次側ボビン／端子台３において３０番台の番号を付した各要素と共通する、第２の２次側ボビン／端子台４の各要素に対しては、４０番台の番号（１の位の数字およびそれに続く文字は変えない）を付している。
【００３２】
なお、第１の２次側ボビン／端子台３には、２つの巻軸３１Ａ，３１Ｂと２次側端子台３６Ｃとの内部を、第２の軸線Ｌ２に沿って貫通するコア挿通孔（図示略）が形成されており、このコア挿通孔内に第１の２次側コア部１２が挿通されるようになっている。同様に、第２の２次側ボビン／端子台４には、２つの巻軸４１Ａ，４１Ｂと２次側端子台４６Ｃとの内部を、第３の軸線Ｌ３に沿って貫通するコア挿通孔（図示略）が形成されており、このコア挿通孔内に第２の２次側コア部１３が挿通されるようになっている。
【００３３】
また、図２に示すように、第１の端部用コア部１４Ａ，１４Ｂと第１の２次側コア部１２や、第２の端部用コア部１５Ａ，１５Ｂと第２の２次側コア部１３、あるいは第１の端部用コア部１４Ａ，１４Ｂと２次側端子台３６Ａ，３６Ｂや、第２の端部用コア部１５Ａ，１５Ｂと２次側端子台４６Ａ，４６Ｂは、それぞれの間で段差が形成されている部分（一部を矢線Ｐで示す）において、接着剤により互いに固着されている。
【００３４】
次に、上述した多出力高圧トランスの作用について説明する。図４は多出力高圧トランスの概略構成および作用を示す図であり、図４においては、上述した磁性体コア１と、２つの１次巻線５Ａ，５Ｂと、４つの２次巻線６Ａ〜６Ｄとの位置関係を、簡略化して示してある。
【００３５】
図４に示すように、この多出力高圧トランスにおいては、１次巻線５Ａと２次巻線６Ａ，６Ｃとをそれぞれ電磁結合する磁路Ｍ１，Ｍ３と、１次巻線５Ｂと２次巻線６Ｂ，６Ｄとを電磁結合する磁路Ｍ２，Ｍ４とが個別に形成されている。具体的には、磁路Ｍ１は１次側コア部１１の図中左半分と、第１の２次側コア部１２の図中左半分と、第１の端部用コア部１４Ａと、第１の中間部用コア部１６の図中左側のコア部１６ａとにより構成されており、磁路Ｍ２は１次側コア部１１の図中右半分と、第１の２次側コア部１２の図中右半分と、第１の端部用コア部１４Ｂと、第１の中間部用コア部１６の図中右側のコア部１６ｂとにより構成されている。また、磁路Ｍ３は１次側コア部１１の図中左半分と、第２の２次側コア部１３の図中左半分と、第２の端部用コア部１５Ａと、第２の中間部用コア部１７の図中左側のコア部１７ａとにより構成されており、磁路Ｍ４は１次側コア部１１の図中右半分と、第２の２次側コア部１３の図中右半分と、第２の端部用コア部１５Ｂと、第２の中間部用コア部１７の図中右側のコア部１７ｂとにより構成されている。
【００３６】
また、１次巻線５Ａにより形成される磁界の向きと、１次巻線５Ｂにより形成される磁界の向きとが、第１の軸線Ｌ１上において互いに逆向き（図４には、各磁路Ｍ１〜Ｍ４における磁界の向き（所定のタイミングでのもの）を矢線により例示している）となるように、２つの１次巻線５Ａ，５Ｂそれぞれの巻回の向きと、２つの１次巻線５Ａ，５Ｂそれぞれに流れる電流の向きとの関係が規定されている。これにより、例えば、１次巻線５Ａにより生成される磁束が２つの２次巻線６Ａ，６Ｂを共に貫くような共通の磁路が形成されることが防止され、２つの磁路Ｍ１，Ｍ２が個別に形成され易くなっている。このことは、他の２つの磁路Ｍ２，Ｍ４についても同様である。
【００３７】
また、本実施形態の多出力高圧トランスにおいては、４つの２次巻線６Ａ〜６Ｄにそれぞれ１つのＣＣＦＬ（図示略）が接続されている。すなわち、４つの磁路Ｍ１〜Ｍ４が４つのＣＣＦＬそれぞれに対して個別に対応するようになっている。
【００３８】
このため、４つのＣＣＦＬの間に開放電圧のばらつき等があるなどの要因によって、４つのＣＣＦＬのいずれかが先に点灯し、該先に点灯したＣＣＦＬの両端間電圧が開放電圧から点灯電圧（管電圧）に低下するような場合でも、４つの磁路Ｍ１〜Ｍ４が４つのＣＣＦＬに個別に対応しているので、４つのＣＣＦＬのいずれかが未点灯のままとなる、いわゆる片点灯状態が生じることを防止することが可能である。
【００３９】
また、本実施形態の多出力高圧トランスは、前掲の特許文献１に記載されたものとは異なり漏洩磁気回路を備えていないので、漏れ磁束による損失が少なく出力効率が高い。
【００４０】
また、２つの１次巻線５Ａ，５Ｂそれぞれに対して各２つの２次巻線６Ａ，６Ｃ、６Ｂ，６Ｄが電磁結合されているので、１つの１次巻線５Ａまたは５Ｂに対して１つの２次巻線（例えば２次巻線６Ａまたは６Ｂ）が電磁結合されているものに比べて、より多くのＣＣＦＬを効率良く放電、点灯させることが可能となっている。
【００４１】
さらに、２つの１次巻線５Ａ，５Ｂが配設される第１の軸線Ｌ１と、各２つの２次巻線６Ａ，６Ｂ、６Ｃ，６Ｄが配設される第２および第３の軸線Ｌ２，Ｌ３とが、同一の平面内に配されていることにより、各１次巻線５Ａ，５Ｂと各２次巻線６Ａ〜６Ｄとを平面的（２次元的）に配置することができるので、トランス全体を低背化することが可能である。
【００４２】
以下、本発明の他の実施形態について説明する。図５〜図８は本発明の第２〜第５実施形態に係る多出力高圧トランスの概略構成をそれぞれ示している。これらの図においては、上述した第１実施形態のものと共通する要素に対して図１〜図４で用いた番号を共通して用いてある。これにより、以下、第１実施形態のものと共通する部分についての説明は省略し、異なる部分についてのみ説明する。
【００４３】
図５に示す第２実施形態の多出力高圧トランスは、２つの１次巻線５Ａ，５Ｂの間の位置において、１次側コア部１１が図中左右に分断されている点が第１実施形態のものと異なっている。このような態様とすることにより、４つの磁路Ｍ１〜Ｍ４の独立性がより確保されるので、片点灯の防止効果を高めることができる。
【００４４】
図６に示す第３実施形態の多出力高圧トランスは、第１および第２の中間部用コア部１６，１７がそれぞれ１つの磁性体コアにより構成されている点が、第１実施形態のものと異なっている。このような態様とすることにより、４つの磁路Ｍ１〜Ｍ４の独立性は低くなるものの部材点数が少なくなるので、組立性の向上および低コスト化を図ることができる。
【００４５】
図７に示す第４実施形態の多出力高圧トランスは、２つの１次巻線５Ａ，５Ｂがそれぞれ各１つの２次巻線６Ａ，６Ｂとのみ電磁結合されるように構成されている点が、第１実施形態のものと異なっている。すなわち、この第４実施形態の多出力高圧トランスは、２つのＣＣＦＬを放電、点灯させるものであり、第１の軸線Ｌ１上に配された２つの１次巻線５Ａ，５Ｂが、第２の軸線Ｌ２上に配された２つの２次巻線６Ａ，６Ｂとそれぞれ対応しており、この２つの２次巻線６Ａ，６Ｂそれぞれに対して個別の磁路Ｍ１，Ｍ２が形成されるようになっている。このような態様とすることにより、２つの２次巻線６Ａ，６Ｂそれぞれに接続される２つのＣＣＦＬをより確実に放電、点灯させることができる。
【００４６】
図８に示す第５実施形態の多出力高圧トランスは、４つの１次巻線５Ａ〜５Ｄがそれぞれ各２つの２次巻線６Ａ，６Ｃ、６Ｂ，６Ｄ、６Ｅ，６Ｇ、６Ｆ，６Ｈと電磁結合されるように構成されている点が、第１実施形態のものと異なっている。すなわち、この第５実施形態の多出力高圧トランスは、８つのＣＣＦＬを放電、点灯させるものであり、第１の軸線Ｌ１上に配された４つの１次巻線５Ａ〜５Ｄが、第２および第３の軸線Ｌ２，Ｌ３上に配された各２つの２次巻線６Ａ，６Ｃ、６Ｂ，６Ｄ、６Ｅ，６Ｇ、６Ｆ，６Ｈとそれぞれ対応しており、この８つの２次巻線６Ａ〜６Ｈそれぞれに対して個別の磁路Ｍ１〜Ｍ８が形成されるようになっている。このような態様とすることにより、１つのトランスによって８つのＣＣＦＬを、片点灯を防止しつつ放電、点灯させることができる。
【００４７】
以上、本発明に係る多出力高圧トランスの複数の実施形態について説明したが、本発明に係る多出力高圧トランスは、上述した実施形態のものに限られるものではなく、種々に態様を変更することが可能である。
【００４８】
例えば、上述した各実施形態においては、４灯用のものと２灯用のもの、および８灯用のものを示しているが、１次巻線およびこれと対応する２次巻線の数を増減することにより、放電、点灯させる放電灯の数を任意に調整することができる。
【００４９】
また、磁性体コア、ボビン、端子台等の形状、端子の数やその配設位置については、適宜変更することが可能である。例えば、磁性体コアに関しては、図４に示す態様において、第１の２次側コア部１２を２つの２次巻線６Ｃ，６Ｄの間の位置で左右に分断することや、図６に示す態様において、第１の端部用コア部１４Ａ，１４Ｂを１次側コア部１１とは別体に構成するとともに、この第１の端部用コア部１４Ａ，１４Ｂと第１の２次側コア部１２とを一体化してＣ字型のコアとしたり、これにさらに第１の中間部用コア部１６を一体化させてＥ字型のコアとしたりすることなどが可能である。
【００５０】
また、本発明の多出力高圧トランスは、インバータトランスのみならず、その他の種々のトランスに適用することが可能である。
【図面の簡単な説明】
【００５１】
【図１】本発明の第１実施形態に係る多出力高圧トランスの平面図
【図２】図１に示す多出力高圧トランスの斜視図（巻線を省略）
【図３】図１に示す多出力高圧トランスにシールドコアを装着した状態の平面図
【図４】図１に示す多出力高圧トランスの概略構成および作用を示す図
【図５】本発明の第２実施形態に係る多出力高圧トランスの概略構成図
【図６】本発明の第３実施形態に係る多出力高圧トランスの概略構成図
【図７】本発明の第４実施形態に係る多出力高圧トランスの概略構成図
【図８】本発明の第５実施形態に係る多出力高圧トランスの概略構成図
【符号の説明】
【００５２】
１      磁性体コア
２      １次側ボビン／端子台
３      第１の２次側ボビン／端子台
４      第２の２次側ボビン／端子台
５Ａ〜５Ｄ      １次巻線
６Ａ〜６Ｈ      ２次巻線
７      シールドコア
１１      １次側コア部
１２      第１の２次側コア部
１３      第２の２次側コア部
１４Ａ，１４Ｂ      第１の端部用コア部
１５Ａ，１５Ｂ      第２の端部用コア部
１６      第１の中間部用コア部
１６ａ，１６ｂ      一対のコア部
１７      第２の中間部用コア部
１７ａ，１７ｂ      一対のコア部
２１Ａ，２１Ｂ，３１Ａ，３１Ｂ      巻軸
２２Ａ，２２Ｂ，３２Ａ，３２Ｂ，４２Ａ，４２Ｂ      鍔板
２３      連結部
２４Ａ，２４Ｂ      １次側端子
２５Ａ，２５Ｂ      １次側端子台
２６      コア挿通孔
２７Ａ，２７Ｂ      挿入孔
３０Ａ      第１の１次側ボビン
３０Ｂ      第２の１次側ボビン
３１Ａ，３１Ｂ，４１Ａ，４１Ｂ      巻軸
３３Ａ，３４Ａ，３３Ｂ，３４Ｂ      仕切鍔
３４，５７      コア挿通孔
３５Ａ〜３５Ｃ，４５Ａ〜４５Ｃ      ２次側端子
３５Ａａ〜３５Ｃａ，４５Ａａ〜４５Ｃａ      絡げ部
３６Ａ〜３６Ｃ，４６Ａ〜４６Ｃ      ２次側端子台
３７Ａ，３７Ｂ，３８Ａ，３８Ｂ，４７Ａ，４７Ｂ，４８Ａ，４８Ｂ      溝部
７１Ａ，７１Ｂ      中脚部
７２Ａ，７２Ｂ      外脚部
Ｌ１      第１の軸線
Ｌ２      第２の軸線
Ｌ３      第３の軸線
Ｍ１〜Ｍ８      磁路
ＳＡ１〜ＳＡ３，ＳＢ１〜ＳＢ３      巻回部
Ｐ      接着位置を示す矢線
【図１】
2006324379.tif 000003
【図２】
2006324379.tif 000004
【図３】
2006324379.tif 000005
【図４】
2006324379.tif 000006
【図５】
2006324379.tif 000007
【図６】
2006324379.tif 000008
【図７】
2006324379.tif 000009
【図８】
2006324379.tif 000010